(57)【要約】【課題】施工が容易であり、かつ、防草区域を確実に覆うことができる防草シート及びその施工方法を提供する。【解決手段】防草シート１０は、定形シート２０と、不定形シート３０とを備える。定形シート２０は、基材２１と、改質アスファルト層２２ａ、２２ｂとを有する。基材２１は、不織布又は織布からなる。定形シート２０は、役物が設けられた面上に役物の周囲に配置される。不定形シート３０は、定形シート２０と役物との境界を覆うように、定形シート２０と役物とに跨がって配される。不定形シート３０は、改質アスファルトシートを有する。不定形シート３０は、変形可能である。改質アスファルトシートの２５℃における針入度が１０ｄｍｍ以上であり、且つ改質アスファルトシートの６０℃における針入度が１８０ｄｍｍ以下である。【選択図】図１
2019058084.tif 000002
【特許請求の範囲】
【請求項１】
役物を含む防草区域に敷設される防草シートであって、
不織布又は織布からなる基材と、前記基材の少なくとも一方面の上に設けられた改質アスファルト層とを有し、前記役物が設けられた面上に前記役物の周囲に配置される定形シートと、
前記定形シートと前記役物とを接続するように、前記役物の周囲と前記役物とに跨がって配されており、改質アスファルトシートを有する変形可能な不定形シートと、
を備え、
前記改質アスファルトシートの２５℃における針入度が１０ｄｍｍ以上であり、且つ６０℃における針入度が１８０ｄｍｍ以下である、防草シート。
【請求項２】
前記不定形シートは、基材を有さず、前記改質アスファルトシートにより構成されている、請求項１に記載の防草シート。
【請求項３】
前記不定形シートは、変形可能な基材と、前記変形可能な基材の少なくとも一方面の上に設けられた前記改質アスファルトシートとを有する、請求項１に記載の防草シート。
【請求項４】
前記不定形シートの厚みが、１．５ｍｍ〜１０ｍｍである、請求項１〜３のいずれか一項に記載の防草シート。
【請求項５】
前記改質アスファルトシートの軟化点が、９０℃〜１８０℃である、請求項１〜４のいずれか一項に記載の防草シート。
【請求項６】
前記不定形シートは、開口及び切れ込みを有さない、請求項１〜５のいずれか一項に記載の防草シート。
【請求項７】
前記定形シートが前記不定形シートの上に設けられている、請求項１〜６のいずれか一項に記載の防草シート。
【請求項８】
前記不定形シートが前記定形シートの上に設けられている、請求項１〜６のいずれか一項に記載の防草シート。
【請求項９】
役物を含む防草区域に、定形シートと不定形シートとを備える防草シートを施工する方法であって、
改質アスファルトシートを有する前記不定形シートを、変形させながら、前記役物の周囲と前記役物とに跨がるように配する工程と、
不織布又は織布からなる基材と、前記基材の少なくとも一方面の上に設けられた改質アスファルト層とを有する前記定形シートを、前記不定形シートの上から前記役物の周囲に配置し、前記不定形シートと接着する工程と、
を備える、防草シートの施工方法。
【請求項１０】
役物を含む防草区域に、定形シートと不定形シートとを備える防草シートを施工する方法であって、
不織布又は織布からなる基材と、前記基材の少なくとも一方面の上に設けられた改質アスファルト層とを有する前記定形シートを、前記役物が設けられた面上に前記役物の周囲に配置する工程と、
改質アスファルトシートを有する前記不定形シートを、変形させながら、前記定形シートと前記役物との境界を覆うように、前記定形シートと前記役物とに跨がって配し、前記定形シートと接着する工程と、
を備える、防草シートの施工方法。
【請求項１１】
前記改質アスファルトシートの２５℃における針入度が１０ｄｍｍ以上であり、且つ６０℃における針入度が１８０ｄｍｍ以下である、請求項９又は１０に記載の防草シートの施工方法。
【請求項１２】
前記不定形シートは、基材を有さず、前記改質アスファルトシートにより構成されている、請求項９〜１１のいずれか一項に記載の防草シートの施工方法。
【請求項１３】
前記不定形シートは、変形可能な基材と、前記変形可能な基材の少なくとも一方面の上に設けられた前記改質アスファルトシートとを有する、請求項９〜１１のいずれか一項に記載の防草シートの施工方法。
【請求項１４】
前記不定形シートの厚みが、１．５ｍｍ〜１０ｍｍである、請求項９〜１３のいずれか一項に記載の防草シートの施工方法。
【請求項１５】
前記改質アスファルトシートの軟化点が、９０℃〜１８０℃である、請求項９〜１４のいずれか一項に記載の防草シートの施工方法。
【発明の詳細な説明】
【技術分野】
【０００１】
本発明は、防草シート及びその施工方法に関する。
【背景技術】
【０００２】
従来、道路等における雑草の育成を抑制する目的で、道路等に防草シートを設置することがなされている。例えば、特許文献１には、取付物が取り付けられている支柱を有する防草区域に、防草シート本体及びパッチシートを含む防草構造体を設置するための施工方法が開示されている。
【０００３】
特許文献１に記載の施工方法では、まず、防草シート本体の、支柱位置に対応する防草シート本体の位置に本体開口部および本体開口部の１点と防草シート本体の端部の１点との間に本体切断部を形成する。パッチシートに、パッチ開口部およびパッチ開口部の１点とパッチシートの端部の１点との間にパッチ切断部を形成する。本体開口部に本体切断部を通過させることによって支柱を防草シート本体に貫通させ、防草区域に防草シート本体を敷設する。パッチ開口部にパッチ切断部を通過させることによって支柱をパッチシートに貫通させ、本体切断部を全て覆いかつ本体切断部とパッチ切断部とが重ならないように、防草シート本体上にパッチシートを敷設する。
【先行技術文献】
【特許文献】
【０００４】
【特許文献１】特開２００９-２０３７９２号公報
【発明の概要】
【発明が解決しようとする課題】
【０００５】
特許文献１に記載の防草構造体の施工方法では、例えば、防草区域のうち、役物周り等に防草構造体が施工されていない露出部が生じやすいという問題がある。また、特許文献１に記載の防草構造体の施工方法では、パッチシートにも開口部と切断部とを設ける必要があり、防草構造体の設置に手間がかかるという問題がある。
【０００６】
本発明の主な目的は、施工が容易であり、かつ、防草区域を確実に覆うことができる防草シート及びその施工方法を提供することにある。
【課題を解決するための手段】
【０００７】
本発明に係る防草シートは、役物を含む防草区域に敷設される防草シートである。本発明に係る防草シートは、定形シートと、不定形シートとを備える。定形シートは、基材と、改質アスファルト層とを有する。基材は、不織布又は織布からなる。改質アスファルト層は、基材の少なくとも一方面の上に設けられる。定形シートは、役物が設けられた面上に役物の周囲に配置されている。不定形シートは、定形シートと役物とを接続するように、役物の周囲と役物とに跨がって配されている。不定形シートは、改質アスファルトシートを有する。不定形シートは、変形可能である。改質アスファルトシートの２５℃における針入度が１０ｄｍｍ以上であり、且つ改質アスファルトシートの６０℃における針入度が１８０ｄｍｍ以下である。
【０００８】
本発明に係る防草シートでは、不定形シートが、基材を有さず、改質アスファルトシートにより構成されていてもよい。
【０００９】
本発明に係る防草シートでは、不定形シートが、変形可能な基材と、変形可能な基材の少なくとも一方面の上に設けられた前記改質アスファルトシートとを有していてもよい。
【００１０】
本発明に係る防草シートでは、不定形シートの厚みは、１．５ｍｍ〜１０ｍｍであることが好ましい。
【００１１】
本発明に係る防草シートでは、改質アスファルトシートの軟化点が、９０℃〜１８０℃であることが好ましい。
【００１２】
本発明に係る防草シートでは、不定形シートが、開口及び切れ込みを有さないことが好ましい。
【００１３】
本発明に係る防草シートでは、定形シートが不定形シートの上に設けられていてもよい。
【００１４】
本発明に係る防草シートでは、不定形シートが定形シートの上に設けられていてもよい。
【００１５】
本発明に係る第１の防草シートの施工方法は、役物を含む防草区域に、定形シートと不定形シートとを備える防草シートを施工する方法である。本発明に係る第１の防草シートの施工方法では、改質アスファルトシートを有する不定形シートを変形させながら、役物の周囲と役物とに跨がるように配する。不織布又は織布からなる基材と、基材の少なくとも一方面の上に設けられた改質アスファルト層とを有する定形シートを、不定形シートの上から役物の周囲に配置し、不定形シートと接着する。
【００１６】
本発明に係る第２の防草シートの施工方法は、役物を含む防草区域に、定形シートと不定形シートとを備える防草シートを施工する方法である。本発明に係る第２の防草シートの施工方法では、不織布又は織布からなる基材と、基材の少なくとも一方面の上に設けられた改質アスファルト層とを有する定形シートを、役物が設けられた面上に役物の周囲に配置する。改質アスファルトシートを有する不定形シートを変形させながら、定形シートと役物との境界を覆うように、定形シートと役物とに跨がって配し、定形シートと接着する。
【００１７】
本発明に係る第１及び第２の防草シートの施工方法のそれぞれでは、改質アスファルトシートの２５℃における針入度が１０ｄｍｍ以上であり、且つ６０℃における針入度が１８０ｄｍｍ以下であることが好ましい。
【００１８】
本発明に係る第１及び第２の防草シートの施工方法のそれぞれでは、不定形シートが、基材を有さず、改質アスファルトシートにより構成されていてもよい。
【００１９】
本発明に係る第１及び第２の防草シートの施工方法のそれぞれでは、不定形シートが、変形可能な基材と、変形可能な基材の少なくとも一方面の上に設けられた前記改質アスファルトシートとを有していてもよい。
【００２０】
本発明に係る第１及び第２の防草シートの施工方法のそれぞれでは、不定形シートの厚みが、１．５ｍｍ〜１０ｍｍであることが好ましい。
【００２１】
本発明に係る第１及び第２の防草シートの施工方法のそれぞれでは、改質アスファルトシートの軟化点が、９０℃〜１８０℃であることが好ましい。
【発明の効果】
【００２２】
本発明によれば、施工が容易であり、かつ、防草区域を確実に覆うことができる防草シート及びその施工方法を提供することができる。
【図面の簡単な説明】
【００２３】
【図１】第１の実施形態における防草シートの使用態様を表す模式的斜視図である。
【図２】図１の線ＩＩ−ＩＩにおける模式的断面図である。
【図３】第１の実施形態における定形シートの模式的平面図である。
【図４】第１の実施形態における不定形シートの模式的平面図である。
【図５】第１の実施形態における防草シートの施工方法を説明するための模式的斜視図である。
【図６】第２の実施形態における防草シートの使用態様を表す模式的斜視図である。
【図７】第２の実施形態における防草シートの施工方法を説明するための模式的斜視図である。
【発明を実施するための形態】
【００２４】
以下、本発明を実施した好ましい形態の一例について説明する。但し、下記の実施形態は、単なる例示である。本発明は、下記の実施形態に何ら限定されない。
【００２５】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００２６】
（第１の実施形態）
図１は、本実施形態における防草シートの使用態様を表す模式的斜視図である。図２は、図１の線ＩＩ−ＩＩにおける模式的断面図である。図３は、本実施形態における定形シートの模式的平面図である。図４は、本実施形態における不定形シートの模式的平面図である。
【００２７】
図１及び図２に示す防草シート１０は、例えば、道路、線路、河川、公園、造林園等の、雑草等の草木の育成を防止しようとする防草区域に設置されるシートである。防草シート１０は、特に、役物を含む防草区域に好適に敷設される。具体的には、防草シート１０は、例えば、柱が設けられた防草区域、凹部が設けられた防草区域、入り隅形状の防草区域、出隅形状の防草区域等に幅広く用いることができる。
【００２８】
本実施形態では、柱Ｐが設けられた防草区域に防草シート１０を敷設する例について説明する。
【００２９】
（防草シート１０）
防草シート１０は、定形シート２０と、不定形シート３０とを有する。
【００３０】
（定形シート２０）
定形シート２０は、防草区域のうち、柱Ｐを除いた部分の実質的に全体を覆うように配置されるシートである。
【００３１】
図２に示すように、定形シート２０は、基材２１と、改質アスファルト層２２ａ、２２ｂとを有する。基材２１は、不織布または織布からなる。基材２１の少なくとも一方面の上には、遮光性の改質アスファルト層が設けられている。具体的には、本実施形態では、基材２１の一方面の上に改質アスファルト層２２ａが設けられており、他方面の上に改質アスファルト層２２ｂが設けられている。なお、定形シート２０は、表面に無機粒子（例えば、砂等）や無機粒子を含有する樹脂からなる表面層等をさらに有していてもよい。定形シート２０に無機粒子等の表面層を設けることにより、防草シート１０の耐光性を向上することができる。
【００３２】
改質アスファルトとしては、例えば、スチレン系樹脂改質アスファルトや、オレフィン系樹脂改質アスファルト、ジエン系樹脂改質アスファルト等が挙げられる。
【００３３】
図３に示すように、定形シート２０は、役物である柱Ｐが設けられた面上に、柱Ｐの周囲に配置されるシートである。定形シート２０は、柱Ｐが挿入される開口２０ａと、開口２０ａから端縁に延びる切れ込み２０ｂとを有している。開口２０ａは、柱Ｐと実質的に同面積であるか、柱Ｐよりも若干小さく形成されている。
【００３４】
上述のように、開口２０ａには、切れ込み２０ｂが接続されているため、定形シート２０は、切れ込み２０ｂを経由して、開口２０ａに柱Ｐが挿入可能に構成されている。
【００３５】
（不定形シート３０）
不定形シート３０は、変形可能なシートであり、図４に示すように、定形シート２０とは異なり、開口や切れ込みを有さないシートである。
【００３６】
不定形シート３０は、定形シート２０と、役物である柱Ｐとを接続するように、柱Ｐの周囲と柱Ｐとに跨がって配され、定形シート２０に接着される。不定形シート３０は、変形可能なシートである。不定形シート３０は、変形可能であればよく、基材を有していなくてもよいし、変形可能な基材をさらに有していてもよい。変形可能な基材としては、例えば、横編み物や縦編み物（トリコット）等が挙げられる。
【００３７】
なお、不定形シート３０の表面の少なくとも一部に無機粒子（例えば、砂等）が化粧されていてもよい。無機粒子により不定形シート３０の表面を化粧することにより、防草シート１０の耐光性を向上できる。
【００３８】
改質アスファルトとしては、例えば、スチレン系樹脂改質アスファルトや、オレフィン系樹脂改質アスファルト、ジエン系改質アスファルト等が挙げられる。
【００３９】
（防草シート１０の施工方法）
まず、図５に示すように、改質アスファルトシートを有する不定形シート３０を、変形させながら、役物である柱Ｐの周囲と、柱Ｐとに跨がるように配置する。具体的には、不定形シート３０を、伸張させて柱Ｐの周囲と柱Ｐとに跨がるように柱Ｐに巻き付ける。具体的には、不定形シート３０が自己粘着タイプである場合は、剥離紙や離型フィルムを不定形シート３０の粘着面から剥離し、柱Ｐの周囲と柱Ｐとに接着させる。不定形シート３０が融着タイプである場合は、不定形シート３０を柱Ｐの周囲と柱Ｐとに跨がるように柱Ｐに巻き付けた後に、不定形シート３０を加熱し、融着させる。
【００４０】
なお、不定形シート３０は、図１に示すように、周回方向の一方側端部と他方側端部とが重なるように設けることが好ましい。
【００４１】
次に、定形シート２０を、不定形シート３０の上から役物である柱Ｐの周囲に配置する。具体的には、切れ込み２０ｂから柱Ｐを開口２０ａに挿入し、防草区域に定形シート２０を敷設する。その後、不定形シート３０と定形シート２０とを接着する。なお、不定形シート３０と定形シート２０の接着は、接着面をバーナー等で炙り、融着させることが好ましい。
【００４２】
不定形シート３０と定形シート２０との密着性を高める観点から、不定形シート３０の表面の少なくとも一部に無機粒子が化粧されている場合、不定形シート３０同士が重なる部分、並びに不定形シート３０の定形シート２０と重なる部分に化粧された無機粒子を取り除いたり、加熱により無機粒子を不定形シート３０内に沈めたり、シール剤を塗布することにより、表面の無機粒子がシール剤層により覆われたりすることが好ましい。
【００４３】
以上説明したように、本実施形態では、不定形シート３０に切れ込みや開口を設ける必要がなく、不定形シート３０を変形させて設置するため、施工が容易である。また、切れ込みや開口が設けられていない不定形シート３０により役物である柱Ｐの周囲と、柱Ｐとに跨がるように配置するため、防草シート１０の遮光性や被覆性、防水性を改善することができる。
【００４４】
不定形シート３０の施工時に、不定形シート３０が好適に変形するようにする観点からは、不定形シート３０を構成している改質アスファルトシートの２５℃における針入度が大きい方が好ましい。そこで、本実施形態では、２５℃における針入度が１０ｄｍｍ以上であり、且つ６０℃における針入度が１８０ｄｍｍ以下である改質アスファルトシートを不定形シート３０として用いる。改質アスファルトシートの６０℃における針入度が大きすぎると、施工後に、不定形シート３０が変形してしまう虞がある。
【００４５】
不定形シート３０の施工性をより向上する観点及び施工後の不定形シート３０の変形（ダレ等）を効果的に抑制する観点からは、２５℃及び６０℃のそれぞれにおける針入度が１５ｄｍｍ以上であることが好ましく、２０ｄｍｍ以上であることがより好ましく、３０ｄｍｍ以上であることがさらに好ましく、且つ、２５℃及び６０℃のそれぞれにおける針入度が１７０ｄｍｍ以下であることが好ましく、１６０ｄｍｍ以下であることがより好ましく、１３０ｄｍｍ以下であることがさらに好ましい。
【００４６】
施工時に不定形シート３０を手で容易に延伸できる観点から、不定形シート３０の厚みが、１．５ｍｍ〜１０ｍｍであることが好ましく、２ｍｍ〜６ｍｍであることがより好ましい。
【００４７】
施工後の不定形シート３０の変形（ダレ等）をより効果的に抑制する観点から、改質アスファルトシートの軟化点が、９０℃〜１８０℃であることが好ましく、１００℃〜１７０℃であることがより好ましい。
【００４８】
本実施形態では、不定形シート３０を柱Ｐに巻き付ける例について説明した。もっとも、本発明は、これに限定されない。例えば、不定形シート３０に柱Ｐよりも小さな孔を形成し、その孔に柱Ｐを挿入することにより、不定形シート３０を柱Ｐ及び定形シート２０に取り付けてもよい。この場合であっても、防草シートの施工が容易であり、かつ、遮光性及び被覆性、防水性に優れ、施工後においても変形し難い。
【００４９】
以下、本発明の好ましい実施形態の他の例について説明する。以下の説明において、上記第１の実施形態と実質的に共通の機能を有する部材を共通の符号で参照し、説明を省略する。
【００５０】
（第２の実施形態）
第１の実施形態では、不定形シート３０を定形シート２０よりも先に施工する例について説明した。すなわち、第１の実施形態では、定形シート２０が不定形シート３０の上に位置する例について説明した。しかしながら、本発明は、この構成に限定されない。
【００５１】
第２の実施形態では、図６に示すように、定形シート２０が不定形シート３０の上に位置している。この場合であっても、第１の実施形態と同様に、施工が容易であり、かつ、防草区域を確実に覆うことができる。
【００５２】
次に、第２の実施形態における防草シート１０の施工方法について説明する。
【００５３】
まず、定形シート２０を、役物が設けられた面上に役物の周囲に配置する。具体的には、図７に示すように、切れ込み２０ｂから柱Ｐを開口２０ａに挿入し、防草区域に定形シート２０を敷設する。必要に応じて、定形シート２０を防草区域に融着または接着することが好ましい。
【００５４】
次に、改質アスファルトシートを有する不定形シート３０を定形シート２０及び役物の形状に合わせて変形させながら、定形シート２０と役物である柱Ｐとの境界を覆うように、定形シート２０と柱Ｐとに跨がって配し、不定形シート３０と定形シート２０とを接着する。なお、不定形シート３０は、定形シート２０に自着させてもよいし、融着させてもよい。
【００５５】
以下、本発明について、具体的な実施例に基づいて、さらに詳細に説明するが、本発明は以下の実施例に何ら限定されるものではなく、その要旨を変更しない範囲において適宜変更して実施することが可能である。
【００５６】
（実施例１）
下記の物性を有するスチレン系樹脂改質アスファルトを用意した。
【００５７】
２５℃における針入度：３２．５ｄｍｍ
６０℃における針入度：１２５ｄｍｍ
軟化点：１２０℃
【００５８】
次に、不織布からなる基材の両面に上記スチレン系樹脂改質アスファルトの層（厚さ：３ｍｍ）を形成し、開口及び切れ込みを形成することにより、図３に示す形状の定形シートを作製した。
【００５９】
次に、スチレン系樹脂改質アスファルトの不定形シート（厚さ：３ｍｍ）を作製した。
【００６０】
次に、第１の実施形態で説明した施工方法で防草シートの施工を行った。その結果、防草シートの施工を好適に行うことができ、施工後においても、不定形シートの変形等が生じなかった。
【００６１】
（実施例２）
下記の物性を有するスチレン系樹脂改質アスファルトを用いたこと以外は実施例１と同様にして定形シート（厚み：３ｍｍ）及び不定形シート（厚み：４ｍｍ）を作製し、防草シートを施工した。その結果、防草シートの施工を好適に行うことができ、施工後においても、不定形シートの変形等が生じなかった。
【００６２】
２５℃における針入度：３２．５ｄｍｍ
６０℃における針入度：１２５ｄｍｍ
軟化点：１１０℃
【００６３】
（実施例３）
下記の物性を有するスチレン系樹脂改質アスファルトを用いたこと以外は実施例１と同様にして定形シート（厚み：３ｍｍ）及び不定形シート（厚み：３ｍｍ）を作製し、防草シートを施工した。その結果、防草シートの施工を好適に行うことができ、施工後においても、不定形シートの変形等が生じなかった。
【００６４】
２５℃における針入度：４０ｄｍｍ
６０℃における針入度：１２０ｄｍｍ
軟化点：１２５℃
【００６５】
（実施例４）
下記の物性を有するオレフィン系樹脂改質アスファルトを用いたこと以外は実施例１と同様にして定形シート（厚み：３ｍｍ）及び不定形シート（厚み：３ｍｍ）を作製し、防草シートを施工した。その結果、防草シートの施工を好適に行うことができ、施工後においても、不定形シートの変形等が生じなかった。
【００６６】
２５℃における針入度：３１．５ｄｍｍ
６０℃における針入度：１１５ｄｍｍ
軟化点：１５０℃
【００６７】
（実施例５）
下記の物性を有するオレフィン系樹脂改質アスファルトを用いたこと以外は実施例１と同様にして定形シート（厚み：３ｍｍ）及び不定形シート（厚み：４ｍｍ）を作製し、防草シートを施工した。その結果、防草シートの施工を好適に行うことができ、施工後においても、不定形シートの変形等が生じなかった。
【００６８】
２５℃における針入度：３１．５ｄｍｍ
６０℃における針入度：１２５ｄｍｍ
軟化点：１４５℃
【符号の説明】
【００６９】
１０    ：防草シート
２０    ：定形シート
２０ａ  ：開口
２０ｂ  ：切れ込み
２１    ：基材
２２ａ、２２ｂ  ：改質アスファルト層
３０    ：不定形シート
Ｐ      ：柱
【図１】
2019058084.tif 000003
【図２】
2019058084.tif 000004
【図３】
2019058084.tif 000005
【図４】
2019058084.tif 000006
【図５】
2019058084.tif 000007
【図６】
2019058084.tif 000008
【図７】
2019058084.tif 000009